(57)【要約】  本発明は、３．０から６．５の範囲内のｐＨを有する緩衝化乳酸を含む組成物であって、前記組成物が潤滑剤組成物であり、前記組成物が０．０３から０．６０の水分活性を有することを特徴とする、組成物に関する。使用者の皮膚または粘膜と接触すると、吸収製品と使用者の皮膚／粘膜との間の摩擦が低減される。追加の利点は、組成物が皮膚および／または粘膜のｐＨに近い酸性領域のｐＨを有することにある。【特許請求の範囲】
【請求項１】
３．０から６．５の範囲内のｐＨを有する緩衝化乳酸を含む組成物であって、前記組成物が潤滑剤組成物であり、前記組成物が０．０３から０．６０の水分活性を有することを特徴とする組成物。
【請求項２】
皮膚および／または粘膜に前記潤滑剤組成物の層を塗布することによって、摩擦から皮膚および／または粘膜を保護する方法に使用するための請求項１に記載の組成物。
【請求項３】
衛生製品および／または吸収製品の少なくとも一部に前記潤滑剤組成物の層を塗布することによって、摩擦から皮膚および／または粘膜を保護する方法に使用するための請求項１または２に記載の組成物であって、前記組成物が、使用中に装着者の皮膚に接触する、組成物。
【請求項４】
乾燥によって所望の水分活性が得られたことを特徴とする、請求項１から３のいずれか一項に記載の組成物。
【請求項５】
前記組成物のｐＨが３．５から５．５の範囲内であることを特徴とする、請求項１から４のいずれか一項に記載の組成物。
【請求項６】
前記水分活性が０．１０から０．５０であることを特徴とする、請求項１から５のいずれか一項に記載の組成物。
【請求項７】
前記水分活性が０．１０から０．３０であることを特徴とする、請求項１から６のいずれか一項に記載の組成物。
【請求項８】
前記組成物中の前記乳酸を緩衝化する塩が、乳酸のアルカリ金属塩であることを特徴とする、請求項１から７のいずれか一項に記載の組成物。
【請求項９】
前記塩が乳酸カリウムであることを特徴とする、請求項１から８のいずれか一項に記載の組成物。
【請求項１０】
前記組成物が基本的に水を含まない添加剤をさらに含むことを特徴とする、請求項１から９のいずれか一項に記載の組成物。
【請求項１１】
前記水を含まない添加剤が、オイル、ろう、および脂肪などの天然に基本的に水を含まないものであることを特徴とする、請求項１０に記載の組成物。
【請求項１２】
前記水を含まない添加剤が、乾燥されて基本的に水を含まないものとなることを特徴とする、請求項１０に記載の組成物。
【請求項１３】
前記水を含まない添加剤が、植物性活性物質、プレバイオティック物質、プロバイオティクス細菌、鉱物、無機添加剤、塩、およびビタミンから選択されることを特徴とする、請求項１２に記載の組成物。
【請求項１４】
前記潤滑剤中の前記緩衝化乳酸の量が、前記潤滑剤の総重量に基づいて１０から１００重量％であることを特徴とする、請求項１から１３のいずれか一項に記載の組成物。
【請求項１５】
潤滑剤としての緩衝化乳酸の使用であって、前記潤滑剤が３．０から６．５の範囲内のｐＨおよび０．０３から０．６０の水分活性を有する、使用。
【請求項１６】
所望の水分活性を得るために前記緩衝化乳酸が乾燥されている、請求項１５に記載の使用。
【発明の詳細な説明】
【技術分野】
【０００１】
本発明は、緩衝化乳酸を含む組成物、前記組成物を含むクリーム、前記組成物を含む衛生製品および／または吸収製品、ならびに潤滑剤としての緩衝化乳酸の使用に関する。
【背景技術】
【０００２】
皮膚は周囲環境に対する体のバリアとして機能し、粘膜は外環境および内臓にさらされる腔のための層として機能する。例えば、泌尿器領域は粘膜を有する。
【０００３】
膣内で使用するタンポンなどの吸収製品、ならびにおむつ、生理用ナプキン、および失禁用製品などの着用可能吸収製品は、尿および／または血液などの体液を吸収するために長い間使用されてきた。ふき取り布および／またはタオルなどのその他の衛生製品は、例えば洗浄目的で使用されてきた。
【０００４】
タンポンが膣内に挿入される際に、使用者の粘膜は、粘膜とタンポンの間の摩擦によって刺激され得る。さらに、粘膜が弱いかつ／または乾燥している場合には、通常のタンポンを使用することが困難であり痛みを感じ得る。また、着用可能吸収製品、ならびにふき取り布および／またはタオルなどの衛生製品は、使用中に敏感な肌を傷つけ得る。使用の結果、小さな傷および刺激で皮膚または粘膜を損傷させ得る。皮膚は、例えば損傷した皮膚と尿または血液が接触するとさらに損傷または刺激され得る。
【０００５】
このようにして、使用者の皮膚および／または粘膜と吸収製品および／または衛生製品との間の摩擦による皮膚の刺激に関する問題が発生し得る。
【０００６】
したがって、特に吸収製品および／または衛生製品を使用する際の粘膜および／または皮膚の刺激のリスクを低減する必要がある。
【先行技術文献】
【特許文献】
【０００７】
【特許文献１】国際公開第０１／００１２９号
【発明の概要】
【発明が解決しようとする課題】
【０００８】
本発明の目的は、粘膜および／または皮膚の刺激のリスクを低減する組成物を提供することにある。本発明の別の目的は、皮膚を保護する組成物を提供することにあり、例えば尿、血液、および／またはその他の体液を包含するのに適し、皮膚または粘膜と接触する吸収製品または衛生製品に対する皮膚または粘膜の抵抗力を上昇させる組成物を提供することにある。
【課題を解決するための手段】
【０００９】
課題は、３．０から６．５の範囲内のｐＨ、および０．０３から０．６０の水分活性を有する緩衝化乳酸を含む組成物によって解決される。驚くべきことに、組成物は潤滑性を有し、潤滑剤であることが見いだされた。組成物は、ゲル状、粘性であり、滑り易く、適用される皮膚にこれらの特徴を提供する。組成物は、例えばバリアクリームなどとして使用することができ、または組成物は衛生製品および／または吸収製品の使用とともに使用することができる。組成物が衛生製品および／または吸収製品の使用とともに使用される場合、組成物は使用者と吸収／衛生製品との間の摩擦を低減するため、敏感肌および／または弱い粘膜を有する使用者によるタンポン、着用可能吸収製品、ならびにふき取り布および／またはタオルなどの衛生製品の使用が可能となる。
【００１０】
さらなる利点は、組成物が皮膚および／または粘膜のｐＨに近い酸性領域のｐＨを有することである。
【００１１】
組成物は、潤滑組成物の層を皮膚および／または粘膜に塗布することによって、皮膚および／または粘膜を摩擦から保護する方法において使用することを目的とし得る。このようにして、組成物はバリアとして機能し、組成物が吸収製品および／または衛生製品とともに使用されると、使用者の皮膚および／または粘膜と吸収製品および／または衛生製品との間の摩擦を低減することができる。組成物が吸収製品および／または衛生製品とともに使用される場合、組成物は、吸収製品および／または衛生製品に塗布され得るか、または別のステップにおいて皮膚および／または粘膜に塗布され得る。組成物を別のステップにおいて塗布する利点は、使用者および状況によって異なり得る、組成物が最も必要とされる皮膚および粘膜の領域に組成物を塗布することができる点にある。
【００１２】
代替としてまたは追加的に、組成物は、衛生製品および／または吸収製品の少なくとも一部に潤滑組成物の層を塗布することによって、使用の間に組成物が装着者の皮膚と接触し、皮膚および／または粘膜を摩擦から保護する方法において使用することを目的とする。したがって、これらの製品は、潤滑組成物が塗布される製品の場所に応じて、製品の一部または全体にわたってより滑り易くかつ滑らかにする。潤滑組成物は、着用可能吸収製品の使用者の泌尿器領域と接触する領域に塗布され得、それにより摩擦による問題が低減されると同時に有利なスキンケア特性が提供される。
【００１３】
組成物は、乾燥によって所望の水分活性を得ることができる。乾燥は、制御された条件で実施することができるため、効率的なやり方で水分活性の再現可能な結果を得ることができる。
【００１４】
組成物は、３．５から５．５の範囲内のｐＨを有し得、これは皮膚／粘膜ケアの観点から有利である。
【００１５】
組成物の水分活性は、０．０３から０．６０である。例えば、水分活性は、０．１０から０．５０、または０．１０から０．３０であり得る。組成物中の自由水の量が低いため、水分活性を０．５０未満に維持すると有利である。組成物中の自由水の量が非常に少ないため、微生物成長を防止することができ、貯蔵の間に製品の衛生を維持することができる。別の利点は、防腐剤が必要ないことである。
【００１６】
乳酸を緩衝化する塩は、乳酸のアルカリ金属塩であり得る。塩は、例えば乳酸カリウムであり得る。
【００１７】
組成物は、基本的に水を含まない添加剤をさらに含み得る。これらの水を含まない添加剤は、組成物の皮膚および／または粘膜ケア特性にさらに寄与し得るため、吸収製品の特性を向上させる。添加剤は実質的に水を含まないため、微生物成長を防ぐことができる。水を含まない添加剤は、例えば疎水性であり、オイル、ろう、および脂肪などの天然に基本的に水を含まない添加剤であり得る。これらの疎水性物質の添加は、製剤のバリア特性を増加させるため、刺激物質に対する皮膚の保護を向上させる。オイルの例には、植物油および鉱物油がある。ろうの例には、ワセリン、蜜ろう、シリコーンワックス、植物ろうがある。脂肪の例には、ラノリンおよびカカオ脂がある。
【００１８】
添加剤もまた、基本的に水を含まないように乾燥させることができる。乾燥することができ、感染／刺激の防止および／または軽減に寄与し得る添加剤の例には、植物性活性物質、プレバイオティック物質、プロバイオティクス細菌、鉱物、無機添加剤、塩、およびビタミンがある。本発明による組成物に使用される添加剤は、これらの添加剤から選択され得る。
【００１９】
組成物中の緩衝化乳酸の量は、組成物の総重量に基づいて、１０から１００重量％であり得る。この範囲内で、非常に優れた潤滑特性を有する上に、組成物は好ましいｐＨ調節特性を有する。
【００２０】
さらに、本発明は、上記の組成物を含む衛生製品に関する。
本発明はまた、上記の組成物を含む吸収製品に関する。組成物は、使用中に使用者に面する吸収製品の表面層上または内に配置され得る。このようにして、組成物は使用者の皮膚または粘膜と接触し得るため、製品と皮膚および／または粘膜との間の摩擦を低減することができる。
【００２１】
本発明のさらに別の態様は、潤滑剤としての緩衝化乳酸の使用に関し、該潤滑剤は３．０から６．５の範囲内のｐＨ、および０．０３から０．６０の水分活性を有する。緩衝化乳酸は、所望の水分活性を得るために乾燥され得る。
【００２２】
本発明のその他の特性および利点は、添付の図面を参照して以下で説明される。
【００２３】
「吸収製品」とは、尿または血液などの体液を吸収する、または吸収に適した製品を意味する。
【００２４】
「着用可能吸収製品」とは、おむつ、パンツ型おむつ、生理用ナプキン、パンティライナー、または失禁用製品など、使用者が装着する吸収物品を意味する。
【００２５】
「衛生製品」とは、個人的な洗浄および／またはふき取りのための衛生製品を意味する。衛生製品は、ティッシュおよび／または不織布を含み得る。衛生製品の例には、ウェットワイプ、ドライワイプ、おしぼり、パッチ、タオレット、ナプキン、ハンカチ、およびメークふき取りペーパーなどの個人用クレンジングがある。衛生製品は、ふき取りまたはクレンジングを主に目的とする。
【００２６】
「緩衝化」とは、酸性度（またはアルカリ性度）の変化の影響を受けず、組成物のｐＨが安定化するように、組成物に弱酸（または塩基）の塩が添加されたことを意味する。
【００２７】
組成物の「水分活性」は、同一温度での純水の蒸気圧（ｐ０）に対する組成物中の水の蒸気圧（ｐ）の比率として定義される。したがって、純水の水分活性はａｗ＝１．０である。水分活性はまた、組成物中の「自由」または「利用可能な」水として表現され得る。水分活性は、組成物の物理特性、ならびに貯蔵中の劣化反応および微生物成長の速度に影響を及ぼす。
【００２８】
「潤滑」または「潤滑剤」とは、潤滑する、すなわち組成物が塗布された表面を滑り易くするように作用する物質または組成物を意味する。
【００２９】
本発明にする吸収製品は、例えばタンポン、おむつ、生理用ナプキン、または失禁用製品であり、潤滑組成物を含む。
【００３０】
本発明によると、潤滑組成物は、３．０から６．５の範囲内のｐＨ、および０．６０と同等またはそれ未満、例えば０．０３から０．６０の水分活性を有する緩衝化乳酸を含む。組成物は一貫してゲル状であり滑り易いため、吸収製品に使用した場合に潤滑効果を提供することが見いだされた。組成物はまた、わずかに酸性であり、吸収製品の装着者の皮膚および／または粘膜と近接して使用するのに適している。さらに、組成物は低い水分活性に乾燥されているため、組成物中の微生物成長のリスクがないかまたは非常に小さく、防腐剤を必要としない。したがって、組成物は吸収製品における使用に適している。緩衝化乳酸の量は、１０から１００重量％であり得る。
【００３１】
人間の皮膚および粘膜はわずかに酸性であるため、組成物のｐＨは、３．５から５．５の範囲内とすることができる。したがって、皮膚の刺激のリスクが低減され得る。組成物のｐＨは、組成物中の緩衝化塩と乳酸の比率を変化させることによって修正または調節することができる。緩衝化塩は、例えば乳酸のアルカリ土類金属塩またはアルカリ金属塩であり得る。また、乳酸を緩衝化するために、水酸化カリウムなどのアルカリ溶液を使用することができる。
【００３２】
組成物の水分活性は、０．０３から０．６０であり、所望の水分活性まで組成物を乾燥することによって得ることができる。水分活性は、０．１０から０．５０、例えば０．１０から０．３０であってよく、それにより組成物中の微生物増殖が非常に低くなるかまたは実質的になくなる。
【００３３】
組成物は、基本的に水を含まない添加剤を含み得る。上述のように、水を含まない添加剤は、例えばオイル、ろう、および脂肪などの疎水性および天然に基本的に水を含まない添加剤であり得る。これらの疎水性物質の添加により製剤のバリア特性を高めることができ、刺激物質に対する皮膚の保護を向上する。オイルの例には植物油および鉱物油がある。ろうの例にはワセリン、蜜ろう、シリコーンワックス、植物ろうがある。脂肪の例にはラノリンおよびカカオ脂がある。
【００３４】
添加剤もまた、基本的に水を含まないように乾燥することができる。乾燥することができ、感染／刺激の緩和および／または防止に寄与し得る添加剤の例には、植物性活性物質、プレバイオティック物質、プロバイオティクス細菌、鉱物、無機添加剤、塩、およびビタミンがある。添加剤はさらに、組成物を滑らかにし、組成物に皮膚および／または粘膜ケア特性を提供して、組成物の特性を向上させる。添加剤は、緩衝化乳酸を所望の水分活性まで乾燥させた後に組成物に添加され得る。添加剤を乾燥する必要がある場合には、乾燥の前に組成物に添加し、混合物として乾燥することができる。水を含まない添加剤の量は、組成物の総乾燥重量に基づいて、０から９０重量％であり、例えば量は組成物の総重量に基づいて０から４０重量％である。
【００３５】
本発明の１実施形態によると、衛生製品および／または吸収製品は、上記の組成物を含む。組成物は、使用中に使用者の皮膚へと移動可能であるように製品の少なくとも一部上に加えられ得る。したがって、組成物は、製品の少なくとも一部に潤滑組成物の層を塗布することによって、使用中に装着者の皮膚へと移動し、皮膚および／または粘膜を摩擦から保護する方法において使用される。
【００３６】
本発明によると、緩衝化乳酸を含む組成物は、衛生製品および／または吸収製品の表面上、例えば使用者に面する着用可能吸収製品のトップシート上に被覆され得る。組成物は、吸収製品の表面層上または内に組成物が位置するように製品上に被覆され得る。製品の全表面を組成物で被覆してよく、または製品の一部分のみを組成物で被覆してもよい。被覆は、例えば製品、例えばふき取り布を組成物中に浸漬することによって実施され得る。組成物は、説明した位置の１箇所または複数個所に加えられ得る。組成物は、任意の適切な適用方法、例えば噴霧、被覆、および／または印刷などによって塗布され得る。組成物は、１〜１００ｇ／ｍ２の範囲の量で衛生／吸収物品に塗布され得る。
【００３７】
吸収製品は、使用者の泌尿器領域の皮膚または粘膜と接触する複数の部分を有し得る。使用中、吸収製品が皮膚と接触する領域、例えば腰、臀部、および足、またはタンポンの場合には膣内の粘膜において摩擦が生じ得る。摩擦は、着用可能製品の股領域にあたる使用者の泌尿器領域においても生じ得る。これらの領域は、吸収製品の濡れている領域、すなわち吸収製品が尿および／または血液を受け取り溜める領域でもある。本発明の組成物は、摩擦から皮膚を保護する。
【００３８】
本発明によると、着用可能吸収製品は、製品の表面の一部上、例えば、使用者の皮膚および／または粘膜と接触する製品のトップシートの部分、またはタンポンの上部表面上に潤滑組成物を含み得る。潤滑組成物は、使用者の泌尿器領域と接触する製品の部分上、例えば着用可能吸収製品の股部分に塗布され得る。潤滑組成物が吸収製品の股部分に塗布されると、潤滑剤のスキンケア特性が使用者の敏感な泌尿器領域において活用され得る。
【００３９】
代替として、潤滑剤は、皮膚の摩擦のリスクがある吸収製品の部分内または上に塗布され得、潤滑組成物は、使用中に装着者の皮膚と接触する物品の任意の部分に追加でまたは代替として塗布され得る。そのような部分には、トップシートの縁部領域に加えて、伸縮性サイドフラップ、バリアフラップ、羽部、ベルト型おむつのベルト、および／または腰部、臀部、吸収製品の外縁部、起立ギャザーの外側、および／または製品の濡れる部分内または上が含まれる。
【００４０】
組成物はまた、摩擦から保護するために皮膚または粘膜に塗布してもよい。
【００４１】
本発明は、添付の図面に示された図を参照して、以下においてより詳細に説明されるであろう。
【図面の簡単な説明】
【００４２】
【図１】本発明による組成物を含むタンポンを示す。
【図２ａ】本発明による組成物を含むパンティライナーの例を示す。
【図２ｂ】本発明による組成物を含むパンティライナーの例を示す。
【図２ｃ】本発明による組成物を含むパンティライナーの例を示す。
【図２ｄ】本発明による組成物を含むパンティライナーの例を示す。
【図３】本発明による組成物を含む生理用ナプキンを示す。
【図４】本発明による組成物を含むおむつを示す。
【図５】本発明による組成物を含むベルト付おむつを示す。
【図６】スリップ力を測定するための実施例１において使用される配置の前面図を示す
【図７】スリップ力を測定するための実施例１において使用される配置の側面図を示す。
【図８】測定したスリップ力の値のグラフを示す。
【図９】測定したｐＨの値のグラフを示す。
【発明を実施するための形態】
【００４３】
図１におけるタンポン１００は、透液カバー１０３に包まれ、結び目１０５において結合される２本の引出し紐端部１０４を有する吸収体１０２を備える。タンポン１００は、長手方向Ｌおよび長手方向Ｌと垂直方向の半径方向Ｒの細長い弾丸形状を有し、挿入端部１０６、引出し端部１０７、および中央部１０８を備える。挿入端部１０６、引出し端部１０７、および中央部１０８の各々は、タンポン１０１の全長のおよそ三分の一を占める。挿入端部は、丸い先端１１７および平坦な引出し端部面１２０とともに示されている。先端１１７から引出し端部面１２０までのタンポンの長さは、ノギスを使用して決定され得る。タンポンは一般的に、乾燥した非膨張状態で３０から７０ｍｍ、より一般的には４０から５０ｍｍの長さを有する。長さは一般的に、タンポンのサイズ、デザイン、吸収力によって変化し得る。図１では、タンポン１００の全表面が本発明による潤滑組成物１１１で被覆されている。タンポン表面の潤滑組成物は、タンポンと使用者の膣の粘膜との間の摩擦を低減する。
【００４４】
タンポン１００には、圧縮線１０８、１０９の形態の長手方向に延びる溝およびチャネルが設けられる。圧縮線は、図１では波形であるが、直線または任意のその他の適切な形状であってよい。
【００４５】
上述のように、本発明の潤滑組成物はまた、吸収製品と例えば使用者の泌尿器領域、および／または使用者の体のその他の領域との間の摩擦を低減するために、着用可能吸収製品上に使用され得る。
【００４６】
潤滑剤は、着用可能吸収製品と使用者の泌尿器領域との間の摩擦を低減するために着用可能吸収製品上に使用され得る。
【００４７】
図２ａ〜２ｄは、本発明によるパンティライナー２００の例を概略的に示す。一般的に、あらゆるパンティライナー２００は、図２ａに示すように、使用中に装着者側に面するパンティライナー２００の一側上に配置される透液トップシート２０１の形態のカバー層を備える。パンティライナーはまた、使用中に装着者と反対側に面する第２カバー層、バックシート（図示せず）を備える。さらに、パンティライナー２００は、トップシート２０１とバックシートとの間に配置される吸収コア（図示せず）を備える。図２ａに示すように、トップシートおよびバックシートは、例えば接着または超音波溶着を使用して、強化領域２０３において互いに結合され得る。パンティライナーを結合するためのその他の手段もまた使用され得る。
【００４８】
図２ａおよび２ｄに最もよく示されているように、潤滑組成物は、パンティライナー２００の股領域２１９上に被覆される。潤滑剤組成物は、パンティライナー２００の表面上に塗布される。潤滑剤組成物は、使用者の泌尿器領域と接触する着用可能吸収製品の領域、すなわち着用可能吸収製品の股部分の領域に配置され得る。こうして、吸収製品と使用者との間の摩擦が低減され得ると同時に、組成物の低いｐＨのために最適なスキンケアが提供される。
【００４９】
図２ｃおよび２ｄに示されているように、潤滑組成物は、例えば印刷を使用して得ることができるスポットパターンで表面に被覆される。図２ｂに示される実施形態では、潤滑組成物は、例えば印刷によって得られ得るストライプパターンで表面に被覆される。
【００５０】
一般的に、印刷方法は、任意の適切な手段、例えばフレキソ印刷、グラビア印刷、または例えばスプレー塗布を用いたデジタル印刷から選択され得る。
【００５１】
当然ながら、あらゆる種類のタンポンおよび／または着用可能吸収製品に任意の被覆方法および別の被覆パターンを使用してもよい。
【００５２】
別の実施形態では、図２ａに図示するように、装着者のももとパンティライナーとの間の摩擦を低減し、擦れ合いのリスクを低減するために、強化領域２０３の外側縁部のみが潤滑組成物で被覆される。
【００５３】
更に別の実施形態では、パンティライナー２００の全表面が潤滑組成物で被覆される。
【００５４】
図３は、本発明による生理用ナプキン３００を示す。生理用ナプキン３００は、使用中に装着者側に面する生理用ナプキンの一側上に配置された透液トップシート３０１の形態のカバー層を備える。生理用ナプキン３００はまた、使用中に装着者と反対側に面する第２カバー層、バックシート（図示せず）を備える。生理用ナプキン３００は、トップシート３０１とバックシートとの間に配置される吸収コアをさらに備える。トップシートおよびバックシートは、接着または超音波溶着を使用して強化領域３０３において互いに結合される。生理用ナプキンは、生理用ナプキンの下着への装着を容易にするための羽部３０５を備える。生理用ナプキン３００は、潤滑組成物が使用者の泌尿器領域と接触するように、ナプキンの股領域、すなわち羽部３０５の間の領域に潤滑組成物を備え得る。
【００５５】
代替として、装着者のももとパンティライナーとの間の摩擦を低減し、擦れ合いのリスクを低減するために、強化領域３０３の外側端部および／または羽部が潤滑組成物３１１で被覆される。
【００５６】
図２ａ〜２ｄに示したパンティライナーと類似のやり方で、潤滑組成物は吸収製品の表面に特定のパターンで被覆され得る。
【００５７】
図４は、本発明による小児用または成人失禁用のおむつ４００を示す。おむつは、透液トップシート４０１、不透液バックシート４０９、およびその間に囲まれた吸収体またはコア４０７を備える枠組（シャシー）を備える。トップシート４０１およびバックシート材料４０９は、吸収コア４０７よりもいくらか高い伸縮性を有し、その縁部の外側に延びる。層４０１および４０９は、例えば接着または熱もしくは超音波による溶着によって、その突出部内で互いに接続される。トップシートおよび／またはバックシートは、接着、熱融着など当技術分野で知られる任意の方法によって吸収コア４０７にさらに取り付けられ得る。吸収コアは、トップシートおよび／またはバックシートに取り付けられなくてもよい。おむつ４００は、使用中に使用者の体の前部分に装着されるように構成された前部分４１５、使用中に使用者の体の後ろ部分に装着されるように構成された後部分４１７、前部分と後部分との間に位置し、使用者の足の間の股領域に装着されるように構成された、より狭い股領域４１９を有する。後部分４１７には、接着テープタブ４２１またはフック‐ループ型固定具などその他の種類の取り付け手段が設けられる。おむつは、漏れバリアを形成し、トップシート４０１に固定された近位縁部にある伸縮性バリアフラップ４２３をさらに備える。おむつ４００は、その胴部において物品の横方向に伸びる伸縮部材４１１の形態の伸縮性胴形体部をさらに備え得る。
【００５８】
潤滑組成物は、装着者に面する表面の部分上に被覆され得るかまたは、組成物は、例えば前部分４１５および／または後部分４１７および／または伸縮性バリアフラップ４２３、すなわち擦れ合いのリスクがあり、装着者とおむつとの間の摩擦を低減する必要がある領域に被覆され得る。
【００５９】
代替として、潤滑組成物は、使用者の泌尿器領域と接触する股領域４１９の部分に被覆され得る。上記のように、こうして吸収製品と使用者との間の摩擦が低減され得ると同時に、組成物の低いｐＨのために最適なスキンケアが提供される。
【００６０】
図５に示すおむつ５００は、おむつ５００の後部分５１７に取り付けられ、装着者の腰の周りで互いに固定されるように構成されたたベルト部分５１１、５２１を備えること以外は、図４におけるおむつと類似の構成を有する。おむつの前部分の固定手段は、所望のパンツ型形状におむつを固定するためにベルトの外側に取り付けられる。国際公開第０１／００１２９号にはベルト型おむつの例が示されている。図４に示すおむつと同様に、潤滑組成物は、装着者に面する表面の部分に被覆され得るか、または組成物は、例えば前部分５１５および／または後部分５１７および／またはベルト部分５１１、５２１、すなわち擦れ合いのリスクがあり、装着者とおむつとの間の摩擦を低減する必要がある領域に被覆され得る。
【００６１】
代替として、潤滑組成物は、使用者の泌尿器領域と接触する股領域５１９の部分に被覆され得る。上記のように、こうして吸収製品と使用者との間の摩擦が低減され得ると同時に、組成物の低いｐＨのためにスキンケアが提供される。
【００６２】
［実施例１］
この試験は、例えばタンポンの表面上に使用した場合に、緩衝化乳酸を含む潤滑組成物を使用してせん断力、故に摩擦を低下させることが可能か否かを示すために実施した。
【００６３】
試験は、図６および７に図示した装置を使用して実施した。装置６００は、水平と３０°の角度をなし、引き延ばされて支持面に取り付けられた膜で被覆された平坦な支持面６０１から構成される。タンポン６０３（Ｌｉｂｒｅｓｓｅ  Ｎｏｒｍａｌ−ｎｅｗ  ｔｗｉｓｔ  ｗｒａｐ）がこの表面上に置かれ、プラスチック定規６０５を使用してこの表面上に押し付けられた。定規６０５は、２０ｃｍの長さを有し、端部が平坦な支持面に固定された。タンポンは、常に定規の中央、すなわち１０ｃｍの位置に配置された。
【００６４】
張力計ＤＩＡ−ＳＴＲＯＮ  ＭＭＴ  １７０は、定規の下で表面に押し付けられタンポン６０３をその位置から引っ張る間の力を測定した。開始位置は２０ｍｍであり、変位は５０ｍｍであり、速度は１５０ｍｍ／ｍｉｎであった。タンポンを引っ張るプロセスの間、力が変化した。以下の表１には、スリップ力（タンポンが動き出す時の力）を記録した。
【００６５】
同一パッケージ内でさえタンポンのサイズにわずかな違いがあるため、同一のタンポンを緩衝化乳液を含む潤滑組成物で処理する前と後の両方を測定した。最初に、処理していないタンポンでスリップ力を三回測定し、その後潤滑組成物をタンポンの表面上に分布させてスリップ力をさらに三回測定した。潤滑組成物は、小さなブラシを使用してタンポンの下半分に均等に分布させた。タンポン上の潤滑組成物の量は、０．７〜０．８ｇであった。測定値は表１に示す。
【００６６】
この試験では、緩衝化乳酸を含む多数の異なる潤滑組成物を試験した。乳酸は、乳酸カリウムまたは水酸化カリウムのいずれかで緩衝化した。また、異なるｐＨに緩衝化した。潤滑組成物は、様々な水分活性を得るように様々な程度に乾燥させた。水分活性を測定するために使用した装置は、ＡｑｕａＬａｂ，  Ｍｏｄｅｌ  Ｓｅｒｉｅｓ  ３  ＴＥ，  Ｓｅｒｉａｌ＃  ＴＥ８１０５であった。装置は、塩化リチウム１３．４１Ｍを使用して較正し、全ての測定は２３℃で実施した。
【００６７】
以下の表１は、様々な潤滑組成物に関して、測定ｐＨ、水分活性、およびスリップ力を示す。スリップ力は、三回の反復の平均値である。
【００６８】
図８では、タンポンのスリップ力は、潤滑組成物での処理前後で表示する。
【００６９】
【表１】
2016531164.tif 000002
【００７０】
試験の結果に基づくと、乳酸を含む潤滑組成物を含む全てのタンポンでスリップ力が低下したと結論付けることができる。全て場合において、組成物で被覆されたタンポンは、処理していないタンポンと比較して低いスリップ力を示した。
【００７１】
［実施例２］
この試験は、緩衝化乳液を含む潤滑組成物を単独で使用した場合、および表２に従ってワセリン（Ｓｏｎｎｅｂｏｒｎ社のＳｎｏｗ  ｗｈｉｔｅ  Ｐ１）との疎水配合で使用した場合に、皮膚のｐＨを調節することが可能であるかを調査するために実施した。
【００７２】
０．１ｇの組成物を約２ｃｍ直径の円形スポットとして試験者の前腕の皮膚上に塗布し、プラスチックフィルムで被覆した。組成物は、皮膚上に１時間保持した。その後、余分な潤滑組成物を柔らかい布でやさしくふき取り、脱イオン水でやさしく流し、乾燥した紙でやさしく乾燥させた。空気中で１分間休ませた後、ｐＨメータ（フラットプローブＶＷＲ  ＳＹＭＰＨＯＮＹ  ＳＢ８０ＰＩ）を使用して皮膚のｐＨを測定した。
【００７３】
使用した組成物は、４６．６ｍｌの乳酸カリウム溶液（５０重量％）と混合した１５．２ｍｌのＤＬ−乳酸溶液（８５重量％）で作製した。この混合物を、水分活性が０．２になるまで乾燥チャンバ内でさらに乾燥させた。この潤滑組成物を２５℃および５０％ｒＨの気候でさらに平衡化し、水分活性は０．３となった。作製された潤滑組成物のｐＨは４．３であると測定された。
【００７４】
【表２】
2016531164.tif 000003
【００７５】
【表３】
2016531164.tif 000004
【００７６】
図９は、表３に示したサンプルへの曝露前後の前腕皮膚のｐＨを示す。図９からわかるように、緩衝化乳酸を含む全ての潤滑組成物は、１時間の曝露後に約３．５のｐＨを示した。
【００７７】
したがって、緩衝化乳酸を含む潤滑組成物は、単独でもワセリンと混合しても前腕皮膚上のｐＨを調節することが可能であると結論付けることができる。緩衝化乳酸を含む潤滑組成物を含有する全ての配合に対して同一の最終ｐＨが達成された。
【００７８】
上述の実施形態は、単に例示的なものであり、本発明を限定することを意図するものではない。
【符号の説明】
【００７９】
１００    タンポン
１１１    潤滑組成物
２００    パンティライナー
３００    生理用ナプキン
４００    おむつ
５００    ベルト型おむつ
【図１】
2016531164.tif 000005
【図２ａ】
2016531164.tif 000006
【図２ｂ】
2016531164.tif 000007
【図２ｃ】
2016531164.tif 000008
【図２ｄ】
2016531164.tif 000009
【図３】
2016531164.tif 000010
【図４】
2016531164.tif 000011
【図５】
2016531164.tif 000012
【図６】
2016531164.tif 000013
【図７】
2016531164.tif 000014
【図８】
2016531164.tif 000015
【図９】
2016531164.tif 000016
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
３．０から６．５の範囲内のｐＨを有する緩衝化乳酸を含む組成物であって、前記組成物が潤滑剤組成物であり、粘膜および／または被覆との接触に適しており、前記組成物が０．１０から０．５０の水分活性を有し、所望の水分活性が乾燥によって得られたことを特徴とする組成物。
【請求項２】
皮膚および／または粘膜に前記潤滑剤組成物の層を塗布することによって、摩擦から皮膚および／または粘膜を保護する方法に使用するための請求項１に記載の組成物。
【請求項３】
衛生製品および／または吸収製品の少なくとも一部に前記潤滑剤組成物の層を塗布することによって、摩擦から皮膚および／または粘膜を保護する方法に使用するための請求項１または２に記載の組成物であって、前記組成物が、使用中に装着者の皮膚に接触する、組成物。
【請求項４】
前記組成物のｐＨが３．５から５．５の範囲内であることを特徴とする、請求項１から３のいずれか一項に記載の組成物。
【請求項５】
前記水分活性が０．１０から０．３０であることを特徴とする、請求項１から４のいずれか一項に記載の組成物。
【請求項６】
前記組成物中の前記乳酸を緩衝化する塩が、乳酸のアルカリ金属塩であることを特徴とする、請求項１から５のいずれか一項に記載の組成物。
【請求項７】
前記塩が乳酸カリウムであることを特徴とする、請求項１から６のいずれか一項に記載の組成物。
【請求項８】
前記組成物が基本的に水を含まない添加剤をさらに含むことを特徴とする、請求項１から７のいずれか一項に記載の組成物。
【請求項９】
前記水を含まない添加剤が、オイル、ろう、および脂肪などの天然に基本的に水を含まないものであることを特徴とする、請求項８に記載の組成物。
【請求項１０】
前記水を含まない添加剤が、乾燥されて基本的に水を含まないものとなることを特徴とする、請求項８に記載の組成物。
【請求項１１】
前記水を含まない添加剤が、植物性活性物質、プレバイオティック物質、プロバイオティクス細菌、鉱物、無機添加剤、塩、およびビタミンから選択されることを特徴とする、請求項１０に記載の組成物。
【請求項１２】
前記潤滑剤中の前記緩衝化乳酸の量が、前記潤滑剤の総重量に基づいて１０から１００重量％であることを特徴とする、請求項１から１１のいずれか一項に記載の組成物。
【請求項１３】
粘膜および／または皮膚との接触に適した潤滑剤としての緩衝化乳酸の使用であって、前記潤滑剤が３．０から６．５の範囲内のｐＨおよび０．１０から０．５０の水分活性を有し、所望の水分活性を得るために緩衝化乳酸が乾燥されている、使用。
【国際調査報告】
2016531164.tif 000017
2016531164.tif 000018
2016531164.tif 000019
2016531164.tif 000020
2016531164.tif 000021